(57)【要約】【課題】磁気記録再生装置における磁気テープの張力変動やバタツキを吸収し、高密度記録が安定して行えるカートリッジケースを提供する。【解決手段】磁気テープ９を巻装した単一のリール４０がカートリッジケース２０，３０内に回転可能に収容され、磁気テープ９の先端部に固着されたテープ引出し用リーダーピン８０がケース１０内に着脱可能に保持されて成る磁気テープカートリッジ１０において、磁気テープ９の張力を吸収する張力吸収装置１００をリーダーピン８０の保持部の内側の空きスペースに設けた。【選択図】　図１
2004103158.tif 000002
【特許請求の範囲】
【請求項１】
磁気テープを巻装した単一のリールがカートリッジケース内に回転可能に収容され、前記磁気テープの先端部に固着されたテープ引出し用リーダーピンが前記ケース内に着脱可能に保持されて成る磁気テープカートリッジにおいて、テープの張力を吸収する張力吸収装置を前記リーダーピン保持部内側に設けたことを特徴とする磁気テープカートリッジ。
【請求項２】
前記張力吸収装置が磁気テープの張力を吸収する方向にバネ付勢したアームからなるものであることを特徴とする請求項１記載の磁気テープカートリッジ。
【発明の詳細な説明】
【０００１】
【発明の属する技術分野】
本発明は、磁気テープを巻装した単一のリールがカートリッジケース内に回転可能に収容されてなる磁気テープカートリッジに関し、特に、磁気テープの張力変動の吸収に関するものである。
【０００２】
【従来の技術】
従来、コンピュータ等の外部記憶装置に用いられる記録媒体として使用されている磁気テープカートリッジとして、磁気テープを巻装した単一のリールが回転可能にカートリッジケース内に収容されたタイプのものが知られている。
このような単一のリールのタイプは、外部記憶装置にセットされると、リールに巻装された磁気テープが、外部記憶装置側のドライブ機構によってケースから引き出されて、当該外部記憶装置の磁気記録部で情報の記録が行われ、または既に記録された情報が再生部で読み出され、これらの目的を終了した後はテープはリールに巻き戻されてケース内に再び収容されるように構成されている。
そして、磁気テープの引出し側の先端部である自由端部には、記憶装置のドライブ機構がテープをカートリッジケースからスムーズに引き出し、記録部や再生部等を含むテープ走行経路にテープを導入するすためにリーダーピンが固着されている。記憶装置のドライブ機構はこのリーダーピン把持してテープを記憶装置内に引き回して所定のテープ走行路にセットする。
【０００３】
図５はこのような磁気テープカートリッジの一例を示す従来公知の分解斜視図である。図５において、磁気テープカートリッジ１０は、上ケース２０と下ケース３０とが締結されるカートリッジケース内に、上リール４１と下リール４２とを結合して成る単一の供給リール４０を回動自在に収容し、かつこの供給リール４０に磁気テープ９を巻装して成るものである。
【０００４】
下リール４２は外周に磁気テープ９が巻回される円筒状のリールハブ４２１と、このリールハブ４２１の下端外周から径方向に張り出したフランジ部４２２とを合成樹脂により一体成型したもので、リールハブ４２１の底部外面に、供給リール４０を回転駆動するマグネット式回転駆動手段を接合させるためのリールプレート５３が取付けられている。
また、リールハブ４２１の底部内面には、ブレーキボタン５２に形成された制止用ギア５２Ａと係合して不使用時の回転を拘束する制止用ギア４２Ａが刻設されている。
さらに、リールハブ４２１には、磁気テープカートリッジ１０を使用する外部記憶装置等の記録再生装置に設けられたドライブ解除スピンドルが挿通されて、ブレーキボタン５２を上方へ移動させるための開口４２Ｂが形成されている。
【０００５】
ブレーキボタン５２は、リールハブ４２１と対向する側に前記制止用ギア５２Ａが形成されており、それとは反対側の面に、上ケース２０に形成されたブレーキガイド突起（図示なし）が嵌合される嵌合溝５２Ｂが形成されている。
そして、ブレーキボタン５２はコイルバネ５１により、図中下方に付勢された状態でリールハブ４２１内部に装着されており、ブレーキボタン５２の制止用ギア５２Ａとリールハブ４２１の制止用ギア４２Ａとが咬み合って供給リール４０の不使用時における回転が防止されている。
【０００６】
一方、カートリッジ使用時は、記録再生装置のドライブ解除スピンドル（図示なし）がブレーキボタン５２を押圧すると、ブレーキボタン５２がコイルバネ５１の付勢力に抗して図中上方へ移動し、これにより制止用ギア５２Ａと制止用ギア４２Ａの係合が解除され、供給リール４０が回転自在とされる。
カートリッジケース１０の一側壁には、磁気テープ９を引き出すための開口部３２が形成されている。開口部３２にはカートリッジケース１０の側壁に平行な方向に移動可能なスライドドア３１が取付けられている。スライドドア３１はバネにより、開口部３２を閉じる方向に付勢されている。
【０００７】
また、長尺の磁気テープ９の一方の端部はリールハブ４２１に固着され、このリールハブ４２１に巻回された外周側の端部である自由端部には、記録再生装置のドライブ機構がテープ９をカートリッジケース１０からスムーズに引き出し、記録再生装置の記録部や再生部等を含むテープ走行経路にテープ９を導入するためのリーダーピン８０が固着されている。
【０００８】
リーダーピン８０はドライブ機構が把持しやすいように、また不用意に磁気テープがケースから引き出されないように、リーダーピン保持部（図６の８１）にてケース内の一定の位置に係止されており、リーダーピン８０の一部にはケース側に形成された保持部に保持される被保持部が形成されている。
【０００９】
図６は図５のカートリッジケース１０を装填した記録再生装置の機能を説明する概略平面図である。
磁気記録再生装置１はテープ９を巻き取る途中で情報がその上に書き込まれたり、そこから読み出されたりするもので、磁気テープ９を巻き付けて成る供給リール４０を内蔵したカートリッジケース１０の装填部２と、磁気テープ９を巻き取る空の巻取リール６を内蔵する巻取部３と、読み取り／書き込みヘッド７と、磁気テープ９を所定の経路へ案内する多数のローラ８とから構成されている。
カートリッジケース１０を装填部２に装填し、スタートさせると、磁気記録再生装置１のドライブ機構（図示なし）がリーダーピン８０をリーダーピン保持部８１から外してカートリッジケース１０から引き出し、多数のローラ８の案内で、記録再生装置１の読み取り／書き込みヘッドを通過して巻取リール６へと巻き取られる。この間読み取り／書き込みヘッド７の上で情報の読み取り／書き込みがなされる。
終了時は、この逆を辿って磁気テープ９は巻取リール６からカートリッジケース１０内に戻される。
【００１０】
【発明が解決しようとする課題】
ところがこのような従来の磁気記録再生装置においては、内部のテープ通過経路には、読み取り／書き込みヘッド７と多数のローラ８しかなくて、磁気テープの張力変動やバタツキを吸収する系が皆無であった。その理由は従来は磁気テープの張力変動など問題にならなかったからである。
ただ、磁気記録再生装置ではないが、カセットテープ製造装置において磁気テープの張力を調整するためのダンサーを設けたものは知られている（例えば、特許文献１参照。）。
【００１１】
【特許文献１】
特開平８−１９５０６３号
【００１２】
図７は上記特許文献１記載の磁気テープ巻き取り装置における張力付勢の例を示す構成図である。これは、空のカセットテープに磁気テープを供給して磁気テープ入りカセットを製造するための磁気テープ巻き取り装置であって、供給リールに巻回された磁気テープ所謂パンケーキよりの磁気テープを所定の長さテープカセットのリールに巻き取るようにするもので、その際に磁気テープの張力を調整している。
図７において、７０はこの磁気テープ巻き取り装置である。７１は供給リール７１ａに磁気テープ７２を巻回したパンケーキを示し、このパンケーキ７１よりの磁気テープ７２をこの磁気テープ７２の通過した長さを計測する検尺ローラ７３を巡ると共にこの磁気テープ７２の張力を調整するダンサー７４を巡り、ガイドローラ７５を介してテープカセット７６のリールに巻き取っている。
検尺ローラ７３とダンサー７４との間の磁気テープ７２の走行路に磁気テープ７２を切断し、この磁気テープ７２の切断部をテープカセット７６のリールに設けられたリーダテープに接着するスプライス装置が図示してないが別途設けられている。
そこで、先ずパンケーキ７１より磁気テープ７２を引き出しスプライス装置により磁気テープ７２の切断された先端とテープカセット７６の一方のリールに設けられたリーダテープの先端とを接着テープにより接着し、その後、比較的高速で磁気テープ７２をこのテープカセット７６の一方のリールに巻き取る。この場合検尺ローラ７３により磁気テープ７２が所定の長さ通過したと計測されたときに磁気テープ７２を停止し、その後スプライス装置により磁気テープ７２を切断し、切断された方の磁気テープ７２の先端をテープカセット７６の他方のリールのリーダテープの先端に接着テープにより接着し、その後テープカセット７６に巻き込み、１巻のテープカセット７６の磁気テープ７２の巻き取りを終了する。
以下これを順次繰り返し、磁気テープ７２の巻き込まれたテープカセット７６を量産するようにしている。
【００１３】
このように、この装置に用いられているダンサー７４はテープカセット７６へ巻き付ける際の磁気テープ７２の張力を調整するものではあるが、テープカセット製造時の張力調整であって、使用時の記録系での磁気テープの張力調整ではない。
また、上記装置の磁気テープの張力吸収系は磁気テープの走行経路内に置かれたものであり、そのための設置スペースが必要であり、また磁気テープを張力吸収系へ巻回するための時間および手間が余計に必要となった。
【００１４】
このように製造時のテープの張力は特許文献１にあるものの、前述のように磁気記録再生装置におけるテープ通過経路には、磁気テープの張力変動やバタツキを吸収する系が無かったし、これの必要性を示唆するものも存在しなかった。従来は磁気テープの張力変動など問題にしなかたからである。
ところが本出願人は、高密度記録となるに至って記録面積が小さくなってゆくので、その場合には張力変動が弊害となることに気づいたのである。
その場合のテープの張力吸収装置として、特許文献１に記載のものを採用しても、張力吸収装置設置用のスペースが別途必要となり、また磁気テープを張力吸収装置へ巻回するための時間および手間が必要となる欠点があった。
【００１５】
本発明はこれらの欠点を解決するもので、本発明の課題は、磁気記録再生装置におけるテープ通過経路に、記録系での磁気テープの張力変動やバタツキがあってもこれらを吸収するようにして、磁気テープの走行安定性を図ることができ、しかも張力吸収装置の設置スペースが別途必要とならず、従来の磁気記録再生装置がそのまま使えて張力吸収ができ、しかも磁気テープを張力吸収装置へ巻回する時間および手間もかからない磁気テープカートリッジを提供することにある。
【００１６】
【課題を解決するための手段】
上記課題を解決するため、請求項１記載の磁気テープカートリッジの発明は、磁気テープを巻装した単一のリールがカートリッジケース内に回転可能に収容され、前記磁気テープの先端部に固着されたテープ引出し用リーダーピンが前記ケース内に着脱可能に保持されて成る磁気テープカートリッジにおいて、テープの張力を吸収する張力吸収装置を前記リーダーピン保持部内側に設けたことを特徴とする。
請求項２記載の発明は、請求項１記載の磁気テープカートリッジにおいて、前記張力吸収装置が磁気テープの張力を吸収する方向にバネ付勢したアームからなるものであることを特徴とする。
【００１７】
【発明の実施の形態】
以下、本発明の実施の形態について図面に基づいて詳細に説明する。
図１は本発明の実施の形態にかかる磁気テープカートリッジの一例を示す分解斜視図である。なお、図１の符号で図５と同じ符号は同一物を指すため、説明は省略する。磁気テープカートリッジ１０は、上ケース２２と下ケース３０とが締結されるカートリッジケース内に、上リール４１と下リール４２とを結合して成る単一の供給リール４０を回動自在に収容し、かつこの供給リール４０に磁気テープ９を巻装して成るもので、カートリッジ使用時はスライドドア３１のスライドにより開口部３２が形成され、ここからリーダーピン８０を記録再生装置のドライブ機構が引き出し、記録再生装置の記録部や再生部等を含むテープ走行経路にテープ９を導入する。
その開口部３２近傍でリーダーピン８０の保持部の内側には元々空きスペースがあり、この空きスペースに本発明による張力吸収装置１００が設けられている。
カートリッジ使用時にリーダーピン８０が引き出されると、磁気テープ９は張力吸収装置１００による所定の張力付勢の下に磁気テープカートリッジ１０から引き出されることとなるものの、磁気テープカートリッジ１０は従来のものと同じサイズであるから、磁気記録再生装置は従来のものがそのまま使えて、しかも張力吸収ができることとなる。
【００１８】
図２は張力吸収装置の具体的構造の二例を説明する斜視図で、（ａ）は１ローラタイプ、（ｂ）は２ローラタイプを表している。
（ａ）において、１００は１ローラタイプの張力吸収装置で、コ字型レバー１００ａの一端を回転軸として、磁気テープカートリッジ１０の下ケース３０のリーダーピン８０を保持しているリーダーピン保持部の内側近傍の空きスペースに旋回可能に固定し、他端にローラ１００ｃを回転可能に取り付けている。そして、コ字型レバー１００ａの前記一端にコイルバネ１００ｂを挿通し、その一端を下ケース３０側に固定し、他端をコ字型レバー１００ａの中間アーム側に固定して、前記回転軸を中心として、コ字型レバー１００ａの先端のローラ１００ｃを常時所定方向Ｆに付勢している。このローラ１００ｃに磁気テープ９を接触させ所定角度方向を変えて通過させ、その先端のリーダーピン８０をリーダーピン保持部に保持する。この状態で磁気テープ９はローラ１００ｃの付勢方向と逆方向にローラ１００ｃを戻すように作用し、釣り合ったところでローラ１００ｃは保持される。
【００１９】
図２（ｂ）は２ローラタイプの張力吸収装置を示す。
２ローラタイプの張力吸収装置１０１は２枚の上下にある平行板１０１ｅ、１０１ｅ’の間にローラ１０１ａと１０１ｂを互いに平行に回転可能に取り付け、平行板１０１ｅ、１０１ｅ’の全体を貫通する中心軸１０１ｃを軸として下ケース３０のリーダーピン保持部の内側近傍の空きスペースに旋回可能に固定している。そして、中心軸１０１ｃにコイルバネ１０１ｄを挿通し、その一端を中心軸１０１ｃに固定し、他端を平行板１０１ｅに固定して、前記回転軸を中心として、平行板１０１ｅを常時所定方向Ｆに付勢している。
このローラ１０１ａと１０１ｂの間の磁気テープ９を図のようにこれらに接触させて通過させ、その先端のリーダーピン８０をリーダーピン保持部に保持する。この状態で磁気テープ９はローラ１０１ａと１０１ｂの付勢力と磁気テープ９の引張力の釣り合ったところで保持される。
【００２０】
図３および図４は図２の磁気テープカートリッジ１０を使用した記録再生装置の機能を説明する概略平面図で、図３は磁気テープカートリッジを装填したのみの状態、図４は磁気テープカートリッジからテープ走行経路にテープを導入引き回した状態を示す。
図３において、記録再生装置１に磁気テープカートリッジ１０を装填した状態で、リーダーピン８０はリーダーピン保持部８１に保持されている。磁気テープ９は張力吸収装置１００のコイルバネ付勢により磁気テープ９に一定の張力が与えられている。
【００２１】
次に、図３のリーダーピン８０をリーダーピン保持部８１から外して、巻取リール６へ巻き付けると、図４のように磁気テープカートリッジ１０から磁気テープ９も走行経路にそって走行し巻取リール６へ巻回される。この場合、本発明の張力吸収装置１００のコイルバネ付勢により磁気テープ９に一定の張力を与え続けている。
今、何らかの拍子で、磁気テープ９の走行方向に対して垂直方向に張力が加わったりバタツキが生じると、その張力変動分等はローラ１００ｃを押圧するように作用するので、張力吸収装置１００のコイルバネ１００ｂ（図２）を逆方向に付勢することで吸収されることとなり、磁気テープ９の走行安定性が確保されることとなる。
【００２２】
以上のように、本発明によれば、　磁気テープを巻装した単一のリールがカートリッジケース内に回転可能に収容され、前記磁気テープの先端部に固着されたテープ引出し用リーダーピンが前記ケース内に着脱可能に保持されて成る磁気テープカートリッジにおいて、テープの張力を吸収する張力吸収装置を前記リーダーピン保持部内側の従来の空きスペースに設けたことにより、従来の磁気記録再生装置がそのまま使えて、しかも磁気テープの張力変動やバタツキを特別なスペースを必要とせずに吸収できるようになり、高密度記録が安定して行えるようになった。
【図面の簡単な説明】
【図１】本発明の実施の形態にかかる磁気テープカートリッジの一例を示す分解斜視図である。
【図２】張力吸収装置の具体的構造を説明する斜視図で、（ａ）は１ローラタイプ、（ｂ）は２ローラタイプを表している。
【図３】図２の磁気テープカートリッジを装填した記録再生装置の機能を説明する概略平面図である。
【図４】図３の装填後、磁気テープカートリッジからテープ走行経路にテープを導入引き回した状態の記録再生装置の機能を説明する概略平面図である。
【図５】従来の磁気テープカートリッジの一例を示す分解斜視図である。
【図６】図５の磁気テープカートリッジを装填した記録再生装置の機能を説明する概略平面図である。
【図７】磁気テープ巻き取り装置における張力付勢の例を示す構成図である。
【符号の説明】
１　磁気記録再生装置
２　装填部
３　巻取部
６　巻取リール
７　　読み取り／書き込みヘッド
８　ローラ（多数）
９　磁気テープ
１０　磁気テープカートリッジ
２０　上ケース
３０　下ケース
３１　スライドドア
３２　開口部
４０　単一の供給リール
４１　上リール
４２　下リール
４２Ａ、５２Ａ　制止用ギア
４２Ｂ　開口
４２１　円筒状リールハブ
４２２　フランジ部
５１　コイルバネ
５２　ブレーキボタン
５２Ａ　制止用ギア
５２Ｂ　嵌合溝
５３　リールプレート
８０　リーダーピン
１００　１ローラタイプの張力吸収装置
１００ａ　コ字型レバー
１００ｂ　コイルバネ
１００ｃ　ローラ
１０１　２ローラタイプの張力吸収装置
１０１ｅ、ｅ’　平行板
１０１ａ、１０１ｂ　ローラ
１０１ｃ　中心軸
１０１ｄ　コイルバネ
【図１】
2004103158.tif 000003
【図２】
2004103158.tif 000004
【図３】
2004103158.tif 000005
【図４】
2004103158.tif 000006
【図５】
2004103158.tif 000007
【図６】
2004103158.tif 000008
【図７】
2004103158.tif 000009